(57)【要約】【課題】  香料に起因する変色、濁り、樹脂などの劣化、目詰まりなどの問題を解決することのできる香料組成物を提供すること。【解決手段】  ０．０１ｐｐｍ以下の検出閾値を持つ香料成分を、香料成分全体に対して３０重量％以上の割合で含有することを特徴とする香料組成物。【選択図】  なし【特許請求の範囲】
【請求項１】
０．０１ｐｐｍ以下の検出閾値を持つ香料成分を、香料成分全体に対して３０重量％以上の割合で含有することを特徴とする香料組成物。
【請求項２】
請求項１記載の香料組成物を含有することを特徴とする洗浄剤組成物。
【請求項３】
請求項１記載の香料組成物を含有することを特徴とする化粧料組成物。
【請求項４】
請求項１記載の香料組成物を含有することを特徴とする芳香剤組成物。
【発明の詳細な説明】
【技術分野】
【０００１】
本発明は、洗浄剤組成物、化粧料組成物、芳香剤組成物などに用いられる香料組成物に関し、更に詳しくは、０．０１ｐｐｍ以下の検出閾値を持つ香料成分を、香料成分全体に対して３０重量％以上の割合で含有することを特徴とする香料組成物に関する。
【背景技術】
【０００２】
従来、洗浄剤組成物、化粧料組成物、芳香剤組成物などには、消費者に心地よいインパクトを与えたり、使用している基剤臭や体臭などをマスキングする目的で香料が使用されている。
【０００３】
例えば、界面活性剤と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）ジプロピレングリコールなどの化合物とを、特定重量比で含有する洗浄剤組成物（特許文献１参照）、界面活性剤３０〜６０重量％、沸点１５０〜３００℃の香料０．０５〜１．０重量％を含有し、２５℃における製品粘度を２００〜６００ｍＰａ・ｓの範囲に調整してなる液体洗浄剤組成物（特許文献２参照）、（Ａ）芳香族スルホン酸及びこれらの塩、並びに（Ｂ）芳香環又は二重結合を少なくとも一つ有する縮環を有し、かつ２５℃における蒸気圧が０．０６６５Ｐａ以上である炭化水素テルペン類、アルコール類、アルデヒド類、ケトン類及びエステル類から選ばれる香料物質を含有する化粧料組成物（特許文献３参照）、香料を含浸させたポリマーの粒子をゲル化剤に混入してなるゲル状芳香剤組成物（特許文献４参照）、オクチル酸アルミおよびその６〜８０モル％のＣ１２〜Ｃ２４の高級脂肪酸アルミからなるゲル化剤を用いる透明油性ゲル状芳香剤組成物（特許文献５参照）、２０℃における蒸気圧が４Ｐａ以上の香料を５０〜１００重量％含有する調合香料と、グリコール類などの溶剤とを特定の割合で含有する液体香料組成物を単体に含浸させて容器内部に密封してなる芳香具（特許文献６参照）、液化石油ガスと粉末を含有し、水溶性糖類によりマイクロカプセル化した香料と、ソルビタン脂肪酸エステル及び／又はポリオキシアルキレンアルキルエーテルとからなる粉末分散剤を特定の割合で含有する粉末含有エアゾール組成物（特許文献７参照）などが提案されている。
【０００４】
【特許文献１】特開２０００−１６０１９３号公報
【特許文献２】特開２００２−２５６３００号公報
【特許文献３】特開２０００−９５６５８号公報
【特許文献４】特開平６−４７０８６号公報
【特許文献５】特開平１０−４３２８２号公報
【特許文献６】特開２０００−３００６５８号公報
【特許文献７】特開平８−２０８４２９号公報
【発明の開示】
【発明が解決しようとする課題】
【０００５】
上述した洗浄剤組成物、化粧料組成物、芳香剤組成物などに配合される香料は、通常、各種の香料成分を組み合わせ、例えば、シトラス調、フローラル調などの調合香料として用いられており、洗浄剤組成物、化粧料組成物、芳香剤組成物などとして機能するためにはある程度高い賦香率で配合する必要がある。しかしながら、例えば、濃縮粉末洗剤などに配合した場合に、香料に起因する変色が生じたり、例えば、ＡＢＳ樹脂（アクリルニトリル／ブタジエン／スチレン共重合体）などの樹脂類を使用している便器器具、家電製品、ＯＡ機器、家具、壁紙、ユニットバス、自動車内装などの家庭用洗浄剤では、香料を要因としたＡＢＳ樹脂などの樹脂の劣化がおきたり、また例えば、液体タイプ、ジェルタイプの透明洗浄剤、化粧料においては、香料に起因する濁りを生ずることがあり問題となっていた。さらに、例えば、トイレ用芳香洗浄剤（オンタンククリーナーおよびインタンククリーナー）では、香料の賦香率が高くなるとトイレ防露タンク内に設置されている発泡スチロールに悪影響を与える。
【０００６】
また、例えば、透明水性ゲル状芳香剤では、香料の賦香率が高くなると香料による透明性の悪化や、香料、界面活性剤の使用量の増加により使用後の残渣の増加などの問題が生じ、さらに、例えば、油性ゲル状芳香剤では、通常、炭化水素系の有機溶剤が使用され、香料の賦香率が高くなると、該有機溶剤に溶解しづらい香料成分がにじみ出す現象（オイルアウト）により美観を損なったり、香料、界面活性剤の使用量の増加により使用後の残渣の増加などの問題がある。
【０００７】
またさらに、例えば、含浸芳香剤では、含浸体に吸着できる香料の量には限度があり、芳香剤を小型化した場合には揮散する香気が弱く、芳香剤としての機能を発揮できない問題があり、また、例えば、エアゾール芳香剤では、香料の賦香率が高くなると、液化石油ガスなどの噴射剤への分散性が悪くなり、香料組成のバランスが崩れたり、安定的な供給ができないなどの問題が生ずる。
【０００８】
さらに、例えば、液体芳香剤においては、芳香剤として機能するためにはある程度香料の賦香率を高くする必要があり、それに応じて香料を溶解するための界面活性剤の使用量も増え、香料などの薬剤を揮散する途中で香料、界面活性剤などが吸液芯や揮散パッドなどに目詰まりをおこし、香料組成のバランスが崩れたり、揮散できずに薬剤が残存してしまうなど薬剤揮散安定性に欠けるなどの問題がある。
【０００９】
従って、本発明の目的は、洗浄剤組成物、化粧料組成物、芳香剤組成物などに使用される香料の上述した問題点を克服できる香料組成物を提供することである。
【課題を解決するための手段】
【００１０】
そこで、本発明者らは上述した課題を解決するために鋭意検討を行った結果、今回、低閾値を持つ香料成分を、香料成分全体に対して特定濃度以上含有させて構成した香料組成物を各種の洗浄剤組成物、化粧料組成物、芳香剤組成物などに配合することにより、上述した課題を一挙に解決することができ、また、香料の賦香率を下げることができるため、結果的にコストを抑えることができることを見出し本発明を完成するに至った。
【００１１】
かくして、本発明は、０．０１ｐｐｍ以下の検出閾値を持つ香料成分を、香料成分全体に対して３０重量％以上の割合で含有することを特徴とする香料組成物を提供するものである。
【００１２】
また本発明は、上記の香料組成物を配合することを特徴とする洗浄剤組成物、化粧料組成物、芳香剤組成物が提供される。
【００１３】
以下、本発明の香料組成物についてさらに詳細に説明する。
【発明の効果】
【００１４】
本発明によれば、低閾値を持つ香料成分を、香料成分全体に対して特定濃度以上含有させて構成した香料組成物を洗浄剤、化粧料、芳香剤などに配合することにより、香料に起因する変色、濁り、樹脂などの劣化、目詰まりなどの問題を解決することのできる香料組成物を提供することができる。
【発明を実施するための最良の形態】
【００１５】
本発明における検出閾値とは、香料業界で汎用されている用語で、何かにおいを出す物質が存在するということがはっきりわかる最低濃度であり、例えば、「標準化ヒト臭覚閾値（Ｓｔａｎｄａｒｄｉｚｅｄ  Ｈｕｍａｎ  Ｏｌｆａｃｔｏｒｙ  Ｔｈｒｅｓｈｈｏｌｄｓ）」［エム・デボスら（Ｍ．Ｄｅｖｏｓ  ｅｔ  ａｌ．）編集、オックスフォード大学出版社のＩＲＬ出版社（ＩＲＬ  Ｐｒｅｓｓ  ａｔ  Ｏｘｆｏｒｄ  Ｕｎｉｖｅｒｓｉｔｙ  Ｐｒｅｓｓ）、１９９０］などに示されている。
【００１６】
本発明の香料組成物（以下、香料組成物Ａと言うことがある）は、０．０１ｐｐｍ以下の検出閾値を持つ香料成分（以下、低閾値香料成分と言うことがある）を、香料成分全体に対して３０重量％以上、好ましくは５０重量％以上の割合で含有することを特徴とする。かかる低閾値香料成分を具体的に挙げれば、例えば、アルデヒドＣ８、アルデヒドＣ９、アルデヒドＣ１０、アルデヒドＣ１１、アルデヒドＣ１２（ローリック）、ボルネオール、シンナミックアルデヒド、シンナミックアルコール、シトラール、シトロネラール、クマリン、γ−デカラクトン、γ−ドデカラクトン、エチルバニリン、ヘリオトロピン、インドール、α−ヨノン、β−ヨノン、アンスラニル酸メチル、ヘプチンカルボン酸メチル、トランス−２−シス−６−ノナジエナール、トランス−２−シス−４−ノナジエナール、フェニルアセトアルデヒド、酢酸スチラリル、バニリンなどを挙げることができ、これらの１種または２種以上の混合物として使用することができる。
【００１７】
香料組成物Ａには、上記した低閾値香料成分以外に、香料組成物Ａに影響を与えない範囲内で他の香料成分も組み合わせて配合することができる。かかる香料成分としては、例えば、酢酸ベンジル、ベンズアルデヒド、ゲラニオール、メチルジヒドロジャスモネート、イソアミルアセテート、α−ターピネオール、ｌ−メントール、（−）カルボン、シネオール、サリチル酸メチル、フェニルアセトアルデヒドジメチルアセタール、チモール、リモネン、α−ピネン、フェニルエチルアルコール、シス−３−ヘキセノールなどを例示することができる。
【００１８】
香料組成物Ａには、所望により上記した香料成分に、例えば、ジプロピレングリコール、イソパラフィン、ジエチレングリコールモノエチルエーテル、ジエチルフタレート、トリエチルシトレート、３−メチル−３−メトキシブタノールなどの溶剤類を配合することもできる。
【００１９】
本発明の洗浄剤組成物は、上記した香料組成物Ａを含有することを特徴とする。香料組成物Ａの配合割合は、通常、洗浄剤組成物に使用されている香料組成物の配合割合よりも約１／２〜約１／３まで下げることができ、洗浄剤組成物に対して０．１〜０．５重量％、好ましくは０．２〜０．４重量％の範囲内を例示することができる。香料組成物の配合割合を下げることができるため、香料に起因する変色、濁り、樹脂の劣化などを効果的に防止することができる。
本発明の洗浄剤組成物は、広範囲の洗浄剤に利用することができ、例えば、衣類用洗浄剤、室内、トイレ、浴室、台所などの住居用洗剤等の生活用品の洗浄剤、シャンプー、リンス、石鹸等の身体洗浄剤などとして使用することができる。その剤型も特に制限されず、固体状、粉末状、液状、ゲル状、エアゾールなどの剤型とすることができる。
【００２０】
本発明の化粧料組成物は、上記した香料組成物Ａを含有することを特徴とする。香料組成物Ａの配合割合は、通常、化粧料組成物に使用されている香料組成物の配合割合よりも約１／２〜約１／３まで下げることができ、化粧料組成物に対して０．０５〜１重量％、好ましくは０．１〜０．５重量％の範囲内を例示することができる。香料組成物の配合割合を下げることができるため、香料に起因する変色、濁りなどを効果的に防止することができる。
【００２１】
本発明の化粧料組成物は、広範囲の化粧料に利用することができ、例えば、洗顔クリーム、バニシングクリーム、クレンジングクリーム、コールドクリーム、乳液、化粧水などの基礎化粧品；ファンデーション、粉おしろい、口紅、頬紅、アイシャドー、マニキュアなどのメイクアップ化粧料；頭髪化粧料；日焼け止め化粧料；薬用化粧料などとして使用することができる。その剤型も特に制限されず、固体状、粉末状、液状、ゲル状などの剤型とすることができる。
【００２２】
本発明の芳香剤組成物は、上記した香料組成物Ａを含有することを特徴とする。芳香剤組成物の剤型は特に制限されず、例えば、水性ゲル状芳香剤組成物、油性ゲル状芳香剤組成物、含浸芳香剤組成物、エアゾール芳香剤組成物、液体芳香剤などとすることができる。本発明の芳香剤組成物には、それぞれの剤型により、香料組成物Ａ以外に、例えば、界面活性剤、ゲル化剤、担持体、噴射剤、防腐剤、酸化防止剤、紫外線吸収剤、ｐＨ調整剤、無機塩、色素、エタノールなどの溶剤類、消臭剤などを適宜配合することができ、室内用、自動車用、トイレ用などの芳香剤として使用することができる。
【００２３】
香料組成物Ａの配合割合は、それぞれの芳香剤の剤型により適宜選択することができ、例えば、水性ゲル状芳香剤組成物では、通常、水性ゲル状芳香剤組成物に使用されている香料組成物の配合割合よりも約１／２〜約１／３まで下げることができ、水性ゲル状芳香剤組成物に対して０．５〜３．０重量％、好ましくは１．０〜２．０重量％の範囲内を例示することができる。油性ゲル状芳香剤組成物では、通常、油性ゲル状芳香剤組成物に使用されている香料組成物の配合割合よりも約１／２〜約１／３まで下げることができ、油性ゲル状芳香剤組成物に対して０．５〜３０重量％、好ましくは１〜２０重量％の範囲内を例示することができる。含浸芳香剤組成物では、通常、含浸芳香剤組成物に使用されている香料組成物の配合割合よりも約１／２〜約１／３まで下げることができ、含浸芳香剤組成物に対して０．５〜３０重量％、好ましくは１〜２０重量％の範囲内を例示することができる。エアゾール芳香剤組成物では、通常、エアゾール芳香剤組成物に使用されている香料組成物の配合割合よりも約１／２〜約１／３まで下げることができ、エアゾール芳香剤組成物に対して０．５〜３重量％、好ましくは１〜２重量％の範囲内を例示することができる。液体芳香剤組成物では、通常、液体芳香剤組成物に使用されている香料組成物の配合割合よりも約１／２〜約１／３まで下げることができ、液体芳香剤組成物に対して０．２〜１．０重量％、好ましくは０．５〜０．８重量％の範囲内を例示することができる。
【００２４】
本発明の香料組成物Ａは、上記した洗浄剤組成物、化粧料組成物、芳香剤組成物の他に、例えば、入浴剤組成物、柔軟剤組成物、漂白剤組成物などに配合することができ、通常、使用されている香料組成物に比べ、添加率を低く抑えることができ、それらの製品に使用されている基剤との悪影響が抑えられ、かつコストの点でも低く抑えることができ有利である。
【００２５】
以下実施例により本発明の実施の態様をさらに具体的に説明する。
【実施例】
【００２６】
実施例１および比較例１
下記の表１に示した配合割合にて、実施例１および比較例１のシトラス調香料組成物を調製した。
【００２７】
【表１】
2005239772.tif 000002
【００２８】
※（Ａ）：０．０１ｐｐｍ以下の閾値を持つ香料成分
（Ｂ）：（Ａ）以外の香料成分
実施例２および比較例２
下記の表２に示した配合割合にて、実施例２および比較例２のグリーンフローラル調香料組成物を調製した。
【００２９】
【表２】
2005239772.tif 000003
【００３０】
※（Ａ）：０．０１ｐｐｍ以下の閾値を持つ香料成分
（Ｂ）：（Ａ）以外の香料成分
実施例３および比較例３（ボディシャンプー）
下記の表３に示すボディシャンプーの処方に、実施例１のシトラス調香料組成物を０．３重量％賦香したもの（実施例３）および比較例１のシトラス調香料組成物を１重量％賦香したもの（比較例３）をそれぞれ常法により調製した。調製直後の実施例３のボディシャンプーの香気は、比較例３のボディシャンプーに対して香料賦香率が１／３以下にもかかわらず比較例３のボディシャンプーと同等の強さおよび香調を示した。それぞれのボディシャンプーを調製後、４５℃にて１ヶ月間保存試験をしたところ、比較例３のボディシャンプーは色焼けをおこし変色したが、実施例３のボディシャンプーは変色が見られず保存状態が良好であった。
【００３１】
【表３】
2005239772.tif 000004
【００３２】
実施例４および比較例４（エモリエントクリーム）
下記の表４に示すエモリエントクリームの処方に、実施例２のグリーンフローラル調香料組成物を０．１重量％賦香したもの（実施例４）および比較例２のグリーンフローラル調香料組成物を０．３重量％賦香したもの（比較例４）をそれぞれ常法により調製した。調製直後の実施例４のエモリエントクリームの香気は、比較例４のエモリエントクリームに対して香料賦香率が１／３にもかかわらず比較例４のエモリエントクリームと同等の強さおよび香調を示した。それぞれのエモリエントクリームを調製後、４５℃にて１ヶ月間保存試験をしたところ、比較例４のエモリエントクリームは色焼けをおこし変色したが、実施例４のエモリエントクリームは変色が見られず保存状態が良好であった。
【００３３】
【表４】
2005239772.tif 000005
【００３４】
実施例５および比較例５（透明水性ゲル状芳香剤）
下記の表５に示す透明水性ゲル状芳香剤組成物処方に、実施例２のグリーンフローラル調香料組成物を２重量％賦香したもの（実施例５の透明水性ゲル状芳香剤組成物）および比較例２のグリーンフローラル調香料組成物を６重量％賦香したもの（比較例５の透明水性ゲル状芳香剤組成物）をそれぞれ調製した。調製直後の実施例５の透明水性ゲル状芳香剤組成物の香気は、比較例５の透明水性ゲル状芳香剤組成物に対して香料賦香率が１／３にもかかわらず比較例５の透明水性ゲル状芳香剤組成物と同等の強さおよび香調を示した。それぞれの水性ゲル状芳香剤組成物を調製後、常法により容器に充填し、それぞれの透明水性ゲル状芳香剤を調製した。調製直後の実施例５のゲルの状態は、比較例５に比べて透明感の点で優れていた。また、揮散終了後の残渣の量は、実施例５のほうが比較例５に比べて少なかった。
【００３５】
【表５】
2005239772.tif 000006
【００３６】
実施例６および比較例６（油性ゲル状芳香剤）
下記の表６に示す油性ゲル状芳香剤組成物処方に、実施例１のシトラス調香料組成物を３重量％賦香したもの（実施例６の油性ゲル状芳香剤組成物）および比較例１のシトラス調香料組成物を１０重量％賦香したもの（比較例６の油性ゲル状芳香剤組成物）をそれぞれ調製した。調製直後の実施例６の油性ゲル状芳香剤組成物の香気は、比較例６の油性ゲル状芳香剤組成物に対して香料賦香率が１／３以下にもかかわらず比較例６の油性ゲル状芳香剤組成物と同等の強さおよび香調を示した。それぞれの油性ゲル状芳香剤組成物を調製後、常法により容器に充填し、それぞれの油性ゲル状芳香剤を調製した。揮散終了後の残渣の量は、実施例６のほうが比較例６に比べて少なかった。
【００３７】
【表６】
2005239772.tif 000007
【００３８】
実施例７および比較例７（液体芳香剤）
下記の表７に示す液体芳香剤組成物処方に、実施例１のシトラス調香料組成物を０．５重量％賦香したもの（実施例７の液体芳香剤組成物）および比較例１のシトラス調香料組成物を１．５重量％賦香したもの（比較例７の液体芳香剤組成物）をそれぞれ調製した。調製直後の実施例７の液体芳香剤組成物の香気は、比較例７の液体芳香剤組成物に対して香料賦香率が１／３以下にもかかわらず比較例７の液体芳香剤組成物と同等の強さおよび香調を示した。それぞれの液体芳香剤組成物を調製後、揮散パッドを具備した液体芳香剤に充填し、それぞれの液体芳香剤の経時的な揮散量を測定し、その結果を図１に示す。
【００３９】
【表７】
2005239772.tif 000008
【００４０】
図１の結果より、実施例７の液体芳香剤組成物は、８週間目まで安定的に芳香剤を揮散していたのに比べ、比較例７の液体芳香剤組成物は、６週間目より芳香剤の揮散が抑えられ、芳香剤が容器中に残存しているのにかかわらず、香気の揮散は見られなかった。
【図面の簡単な説明】
【００４１】
【図１】実施例７および比較例７の液体芳香剤の経日的な揮散量の変化を示す図である。
【図１】
2005239772.tif 000009